(57)【要約】【課題】  車室内において座席の前方に配設されるサンバイザであって、座席に着座した乗員に差し込む、眩しい光線を確実に遮ることができ、また車室内への取り付けが簡単、容易である。【解決手段】  フロントガラスＦＧに対面して車体上部に取り外し可能に取り付けられるメインバイザ１と、そのメインバイザ１の左右側縁にそれぞれ取り外し可能であり、かつ、メインバイザ１に対して前後方向に開閉可能に取り付けられる左、右サブバイザ２，３とよりなり、メインバイザ１の上縁には、既設の支持部材２１に取り外し可能に引っ掛け得るハンガ５が設けられる。【選択図】        図２
0003119222.tif 000002
【実用新案登録請求の範囲】
【請求項１】
車室内において、座席（Ｓ）の前方に配設されて、太陽光線などの眩しい光を遮るための、サンバイザであって、
フロントガラス（ＦＧ）に対面して車体上部に取り外し可能に取り付けられるメインバイザ（１）と、そのメインバイザ（１）の左右側縁にそれぞれ取り外し可能であり、かつ、メインバイザ（１）に対して前後方向に開閉可能に取り付けられる左、右サブバイザ（２，３）とよりなり、メインバイザ（１）の上縁には、既設の支持部材（２１）に取り外し可能に引っ掛け得るハンガ（５）が設けられていることを特徴とする、サンバイザ。
【請求項２】
前記メインバイザ（１）の自由端側には、該メインバイザ（１）をフロントガラス（ＦＧ）に吸着させる吸盤（７）が取り付けられることを特徴とする、前記請求項１記載のサンバイザ。
【請求項３】
前記メインバイザ（１）は、既設のフロントサンバイザ（２０）に重なるように折り畳み可能であることを特徴とする、前記請求項１または２記載のサンバイザ。
【考案の詳細な説明】
【技術分野】
【０００１】
本発明は、自動車の車室内において、座席の前方に配設されて、太陽光線などの眩しい光を遮るための、サンバイザに関する。
【背景技術】
【０００２】
自動車の車室内において、フロントガラスにサンバイザを取り外し可能に設けたものは公知（後記特許文献１，２参照）である。
【特許文献１】実公平６−６８９３１号公報
【特許文献２】特開２００２−１２７７４３号公報
【考案の開示】
【考案が解決しようとする課題】
【０００３】
ところで、太陽光線などの眩しい光線は、フロントガラスやサイドガラスを通して車体の、正面、斜め側面、横側面などから車室内に差し込み、その入射方向は、自動車の位置により変わるので、前記特許文献１，２に開示されるサンバイザでは、車室内の座席に着座した乗員に向けて差し込む光線を効果的に遮るのが難しいという課題があり、また、サンバイザを車室内に邪魔にならずに簡単、確実に支持するのが難しいという他の課題もある。
【０００４】
本考案はかかる実情に鑑みてなされたものであり、前記問題を解決した、新規なサンバイザを提供することを目的とする。
【課題を解決するための手段】
【０００５】
上記目的を達成するために、請求項１の考案は、車室内において、座席の前方に配設されて、太陽光線などの眩しい光を遮るための、サンバイザであって、
フロントガラスに対面して車体上部に取り外し可能に取り付けられるメインバイザと、そのメインバイザの左右側縁にそれぞれ取り外し可能であり、かつ、メインバイザに対して前後方向に開閉可能に取り付けられる左、右サブバイザとよりなり、メインバイザの上縁には、既設の支持部材にに取り外し可能に引っ掛け得るハンガが設けられていることを特徴としている。。
【０００６】
また、上記目的を達成するために、請求項２の考案は、前記請求項１のものにおいて、前記メインバイザの自由端側には、このメインバイザをフロントガラスに吸着させる吸盤が取り付けられることを特徴としている。
【０００７】
さらに、上記目的を達成するために、請求項３の考案は、前記請求項１または２のものにおいて、前記メインバイザは、既設のフロントサンバイザに重なるように折り畳み可能であることを特徴としている。。
【考案の効果】
【０００８】
請求項各項の考案によれば、座席に着座した乗員に差し込む、眩しい光線を確実に遮ることができ、車室内への取り付けが簡単、容易である。
【０００９】
また、請求項２の考案によれば、メインバイザが振れるのを抑制することができる。
【００１０】
さらに、請求項３の考案によれば、メインバイザを車室内に、邪魔にならずに、しかも目障りになることなく格納することができる。
【考案を実施するための最良の形態】
【００１１】
本考案の実施の形態を、添付図面に例示した本考案の実施例に基づいて以下に具体的に説明する。
【００１２】
図１は、サンバイザの取付状態を示す自動車の車室内の一部斜視図、図２は、図１の２矢視のサンバイザの正面図、図３は、図２の３−３線に沿う拡大断面図、図４は、サンバイザの取付過程を示す図３と同じ断面図、図５は、図２の５−５線に沿う断面図、図６は、図５の６矢視仮想線囲い部分の拡大図、図７は、サンバイザの分解正面図、図８は、サンバイザの格納状態の正面図、図９は、図８の９−９線に沿う断面図である。
【００１３】
図１，２に示すように、本考案にかかるサンバイザＳＶは、自動車のフロントガラスＦＧの一部を車室内より覆うように、フロントガラスＦＧの上方に取り外し可能に取り付けて、座席Ｓに着座する乗員に当たる、太陽光線などの眩しい光を遮るようにしたものであり、メインバイザ１と、その左、右側縁にそれぞれ取り外し可能に取り付けられる、左、右サブバイザ２，３とより構成されている。
【００１４】
メインバイザ１は、横方向に長い長方形状に形成されて、フロントガラスＦＧの一部を覆うべく、その内面に沿って設けられるものであり、屈曲性を有する、方形状の保形枠１Ａにバイザ本体１Ｂを張設して構成され、また、左サブバイザ２は、フロントガラスＦＧの一部あるいはサイドガラスＳＧの一部を覆うべく、屈曲性を有する、三角状の保形枠２Ａにバイザ本体２Ｂを張設して構成され、さらに、右サブバイザ３は、フロントガラスＦＧの一部を覆うべく、上下方向に長い方形状に形成されて、屈曲性を有する、方形状の保形枠３Ａにバイザ本体３Ｂを張設して構成されている。そして、前記バイザ本体１Ｂ，２Ｂおよび３Ｂは、いずれもメッシュシート、フィルムシートなどの薄い可撓性のシートにより構成され、このシートは車室内に入射する光を遮ることができるが、車室内より車外が透視できるようされている。
【００１５】
図１〜４に示すように、メインバイザ１の上縁の左右には、一対のハンガ５，５が取り付けられている。これらのハンガ５，５はフック状に形成されている。メインバイザ１のハンガ５，５は、車室内に既に設けらている通常のフロントサンバイザ２０を支持する支持部材２１に引っ掛けることにより、この支持部材２１に取り外し可能に取り付けられ、その支持部材２１を中心に、上下方向に開閉することでき、既設のフロントサンバイザ２０と共にフロントガラスＦＧを覆うことができる。また、このメインバイザ１の下側、すなわち自由端側には、一対の取付孔６，６が開口され、これらの取付孔６，６には必要に応じて吸盤７，７をボルト・ナット８などの固着具で取り付けることができ、それらの吸盤７，７を、フロントガラスＦＧに吸着させることにより、メインバイザ１の振れを抑えることができる。
【００１６】
メインバイザ１の左右両側縁には、前記左、右サブバイザ２，３が、一対のジョイント９，９を介して取り外し可能で、かつ前後方向に開閉可能に取り付けられる。各ジョイント９，９は、図６に示すように、ヒンジ部１０まわりに回動可能な一対のクリップ片１１，１１を有する。図２，６，７に示すように、各対のクリップ片１１，１１の一方が、メインバイザ１の左、右側縁にそれぞれ取り外し可能に差込み連結され、また、それらのクリップ片１１，１１の他方が左、右のサブバイザ２，３の内側縁にそれぞれ取り外し可能に差込み連結される。以上により、図２に示すように、メインバイザ１の左右側縁には、左、右サブバイザ２，３が一対のジョイント９，９を介してそれぞれ取り外し可能に取り付けられる。そして左、右サブバイザ２，３は、メインバイザ１に対して前後方向に開閉することができ、それらはジョイント９，９の保有するバネ作用により、任意の開閉位置に保持することが可能である。
【００１７】
また、メインバイザ１は、上下方向に折り畳むことができ、たとえば、図９に示すように、既設のフロントサンバイザ２０を囲むように二つ折りにし、その後に、そのフロントサンバイザ２０を車体の天井面Ｒに向けてに格納回動すれば、折り畳まれたメインバイザ１を、既設のフロントサンバイザ２０と天井面Ｒとの間に挟持して格納することができる。  つぎに、この実施例の作用について説明する。
【００１８】
いま、メインバイザ１と左、右のサブバイザ２，３よりなる、本考案にかかるサンバイザを、図１に示すように、フロントガラスＦＧを覆うように、支持部材２１に引っ掛けて取り付ければ、既設のフロントサンバイザ２０よりも遥かに広い範囲で、フロントガラスより入射する太陽光線などの眩しい光線を遮ることができ、また、左、右のサブバイザ２，３を開閉操作して適宜に開閉位置に保持すれば、サイドウインドＳＧからの横方向の光も遮ることができ、座席Ｓに座乗する乗員へ向かう光線を効果的に遮ることができる。また、左、右サブバイザ２，３は、メインバイザ１から取り外すことができる。
【００１９】
また、メインサンバイザ１は、そのハンガ５，５を、既設のフロントサンバイザ２０の支持部材２１に引っ掛けて車体に取り付けることができるので、その取付構造が簡単になるばかりでなく、その取付操作が容易である。また、このサンバイザは、既設のフロントサンバイザ２０に重ねて折り畳み格納することができるので、その不要時にいちいち車体から取り外さないですみ、かつ目障りになることがなく、場所を取らないで済む。
【００２０】
以上、本考案の実施例について説明したが、本考案はそれらの実施例に限定されることなく、本考案の範囲内で種々の実施例が可能である。
【００２１】
たとえば、前記実施例では、サンバイザのバイザ本体は、メッシュシートあるいはフィルムにより構成されるが、これを他の同効物により構成してもよい。
【図面の簡単な説明】
【００２２】
【図１】サンバイザの取付状態を示す自動車の車室内の一部斜視図
【図２】図１の２矢視のサンバイザの正面図
【図３】図２の３−３線に沿う拡大断面図
【図４】サンバイザの取付過程を示す図３と同じ断面図
【図５】図２の５−５線に沿う断面図
【図６】図５の６矢視仮想線囲い部分の拡大図
【図７】サンバイザの分解正面図
【図８】サンバイザの格納状態の正面図
【図９】図８の９−９線に沿う断面図
【符号の説明】
【００２３】
１・・・・・・・・メインバイザ
２・・・・・・・・左サブバイザ
３・・・・・・・・右サブバイザ
５・・・・・・・・ハンガ
２０・・・・・・・・既設のフロントサンバイザ
２１・・・・・・・・既設の支持部材
ＦＧ・・・・・・・・フロントガラス
Ｓ・・・・・・・・座席
【図１】
0003119222.tif 000003
【図２】
0003119222.tif 000004
【図３】
0003119222.tif 000005
【図４】
0003119222.tif 000006
【図５】
0003119222.tif 000007
【図６】
0003119222.tif 000008
【図７】
0003119222.tif 000009
【図８】
0003119222.tif 000010
【図９】
0003119222.tif 000011